(57)【要約】【課題】医療機関から患者に対して紙文書として提供される検査結果報告書を利用して、患者の興味や要望に沿った情報を提供することにより、治療を支援する治療支援システムを提供する。【解決手段】治療を要する患者の治療を支援する治療支援システム１を提供する。この治療支援システム１は、画像読み取り装置１０と、データ格納サーバー３０と、出力装置２０とを備える。画像読み取り装置１０は、医療に関する検査項目および検査結果が記された検査結果報告書の画像を読み取る画像読み取り部を有する。データ格納サーバー３０は、画像読み取り装置１０と通信可能に接続されており、患者の治療を支援する治療支援情報のデータを格納する記憶部を有する。出力装置２０は、データ格納サーバー３０と通信可能に接続されており、治療支援情報を媒体に出力する。【選択図】図２
2017182644.tif 000002
【特許請求の範囲】
【請求項１】
治療を要する患者の治療を支援する治療支援システムであって、
前記治療支援システムは、
医療に関する検査項目および検査結果が記された検査結果報告書の画像を読み取る画像読み取り部を有する画像読み取り装置と、
前記画像読み取り装置と通信可能に接続された、前記患者の治療を支援する治療支援情報のデータを格納する記憶部を有するデータ格納サーバーと、
前記データ格納サーバーと通信可能に接続された、前記治療支援情報を媒体に出力する出力装置と、を備え、
前記画像読み取り装置は、
前記画像読み取り部が読み取った前記画像に、前記検査項目を指定する指定印が存在する否かを判断する判断部と、
前記判断部により前記指定印が存在すると判断されると、前記指定印に関連付けられた前記検査項目の文字を認識する文字認識部と、
前記文字認識部により認識された前記文字から、前記指定印に関連付けられた前記検査項目を特定する項目特定部と、を備え、
前記データ格納サーバーは、
前記項目特定部により特定された前記検査項目に関連する治療支援情報のデータを、前記記憶部に格納されたデータの中から抽出するデータ抽出部と、
前記データ抽出部により抽出された前記データを、前記出力装置に送信するデータ送信部と、を備え、
前記出力装置は、
前記データ送信部により送信された前記データを受信するデータ受信部と、
前記データ受信部により受信された前記データを前記媒体に出力する出力部と、を備える、治療支援システム。
【請求項２】
前記出力装置および前記データ格納サーバーのいずれか一方は、さらに、データの出力形式を編集する編集部を備える、請求項１に記載の治療支援システム。
【請求項３】
前記判断部は、前記検査結果報告書内の前記指定印を認識する指定印認識部を備え、
前記文字認識部は、前記検査結果報告書内の文字を認識する光学式文字読み取り部を備える、請求項１または２に記載の治療支援システム。
【請求項４】
前記指定印は、前記検査結果報告書に記載された文字とは異なる色で所定の範囲が塗られることにより、前記検査項目を指定するマーカーであり、
前記指定印認識部は、前記マーカーの有無を判断し、
前記文字認識部は、前記指定印認識部により前記マーカーが存在すると判断されると、前記マーカーに関連付けられた検査項目の文字を前記光学式文字読み取り部により認識する、請求項３に記載の治療支援システム。
【請求項５】
前記指定印は、前記検査結果報告書に設けられた専用枠内に記入されたチェックマークであり、
前記指定印認識部は、前記専用枠内の前記チェックマークの有無を判断し、
前記文字認識部は、前記指定印認識部により前記専用枠内に前記チェックマークが記入されていると判断されると、前記チェックマークが記入された専用枠に関連付けられた前記検査項目の文字を、前記光学式文字読み取り部により認識する、請求項３に記載の治療支援システム。
【請求項６】
前記治療支援システムは、さらに、前記データ格納サーバーに格納された前記治療支援情報を編集または閲覧するための端末を備える、請求項１〜５のいずれか１項に記載の治療支援システム。
【請求項７】
前記データ格納サーバーは、さらに、前記患者の検査結果の経緯のデータからグラフを作成するグラフ作成部を備え、
前記グラフ作成部により作成された前記グラフのデータは、前記データ格納サーバーの前記記憶部に前記治療支援情報のデータとして格納される、請求項１〜６のいずれか１項に記載の治療支援システム。
【請求項８】
前記出力部は、画像形成部を備え、
前記媒体は、用紙であり、
前記画像形成部は、前記データ受信部により受信された前記データに基づき、前記用紙上に画像を形成し、
前記出力部は、前記画像形成部によって画像が形成された前記用紙を印刷物として出力する、請求項１〜７のいずれか１項に記載の治療支援システム。
【請求項９】
前記出力部は、電子データ送出部を備え、
前記媒体は、記録媒体、または端末内に備え付けられた記憶部であり、
前記電子データ送出部は、前記データを、電子データとして前記記録媒体、または前記記憶部に送出する、請求項１〜７のいずれか１項に記載の治療支援システム。
【発明の詳細な説明】
【技術分野】
【０００１】
この発明は、治療支援システムに関するものである。
【背景技術】
【０００２】
患者が医療機関における検査を受けると、その患者に対し、用紙に検査結果を印刷した検査結果報告書が配布される。しかしながら医療の専門家ではない患者にとっては、受け取った検査結果に含まれる各検査項目の意味、症状の重篤度、症状の改善方法などを理解することは容易ではない。また、場合によっては医師による説明が行われる場合もあるが、その場で医師の説明の内容を確実に理解し、それを記憶しておくことは必ずしも容易ではない。
【０００３】
検査結果に気がかりな点が存在する場合には、患者は自ら情報を収集することもある。例えば患者は自らインターネットで検査項目の意味を検索することにより、その検査項目に関する一般的な知識を得ることができる。また、検査結果の数値を項目ごとに入力し数値の遷移を管理したり正常値から外れているか等の簡単な診断を行ったりすることができる健康管理用アプリケーションも存在する。
【０００４】
また、検査データファイルに患者の病気データや検査データを格納し、それらのデータに基づいて適切な検査データのグラフと医療指導情報を作成し、患者に提供するシステムも提案されている（特許文献１）。
【先行技術文献】
【特許文献】
【０００５】
【特許文献１】特開昭６２−２２６２７８号公報
【発明の概要】
【発明が解決しようとする課題】
【０００６】
しかしながら、インターネットによる検索を用いて自ら患者が情報を収集する場合、医療の専門家でない患者にとって、莫大な情報の中から、正確でかつ自分にとって必要な情報を得るのは難しい。インターネットの情報の提供者やアプリケーションの提供者は医療従事者に限られないため、偏った情報や不正確な情報が提供されるおそれもある。場合によっては、不正確な情報を信じて症状が悪化する場合もある。また健康管理アプリケーションは、患者自身が検査結果報告書の中から必要な情報や数値を入力する必要があり不便である。さらに健康管理アプリケーションから得られる情報は一般的な傾向を示すものであることから画一的な情報しか得られず、またその情報が個々の患者に適合しない場合もある。
【０００７】
特許文献１におけるシステムでは、提供される情報は病院関係者によるものであることから、提供される情報の正確性はインターネットや健康管理アプリケーションに比べて高い。しかしながら、提供される情報は、病院側からの一方的な情報提供であり患者の興味や要望を反映したものではない。
【０００８】
上記のような状態を鑑み、この発明の目的は、医療機関から患者に対して紙文書として提供される検査結果報告書を利用して、患者の興味や要望に沿った情報を提供することにより、治療を支援する治療支援システムを提供することである。
【課題を解決するための手段】
【０００９】
この発明の一の局面は、治療を要する患者の治療を支援する治療支援システムに関する。この治療支援システムは、画像読み取り装置と、データ格納サーバーと、出力装置とを備える。画像読み取り装置は、医療に関する検査項目および検査結果が記された検査結果報告書の画像を読み取る画像読み取り部を有する。データ格納サーバーは、画像読み取り装置と通信可能に接続されており、患者の治療を支援する治療支援情報のデータを格納する記憶部を有する。出力装置は、データ格納サーバーと通信可能に接続されており、治療支援情報を媒体に出力する。
【００１０】
画像読み取り装置は、上述の画像読み取り部の他に、判断部と、文字認識部と、項目特定部と、を備える。判断部は、画像読み取り部が読み取った画像に、検査項目を指定する指定印が存在する否かを判断する。文字認識部は、判断部により指定印が存在すると判断されると、指定印に関連付けられた検査項目の文字を認識する。項目特定部は、文字認識部により認識された文字から、指定印に関連付けられた検査項目を特定する。
【００１１】
データ格納サーバーは、上述の記憶部の他に、データ抽出部と、データ送信部と、を備える。データ抽出部は、項目特定部により特定された検査項目に関連する治療支援情報のデータを、記憶部に格納されたデータの中から抽出する。データ送信部は、データ抽出部により抽出された治療支援情報のデータを、出力装置に送信する。
【００１２】
出力装置は、データ受信部と、出力部と、を備える。データ受信部は、データ送信部により送信されたデータを受信する。出力部は、データ受信部により受信されたデータを媒体に出力する。
【発明の効果】
【００１３】
この発明における治療支援システムによれば、医学的検査の結果を示す検査結果報告書を利用して、患者は所望の治療支援情報の提供を受けることができる。患者はマーカーやチェックマークなどの指定印を付して、それを医療機関のイントラネットに接続された画像読み取り装置に読み取らせ、出力装置で出力するだけで所望の治療支援情報を得ることができる。このように、患者は簡単な操作でその患者の興味や要望に沿った情報を得ることができる。また治療支援情報を提供するデータ格納サーバーは、医療機関のイントラネットに接続されており、患者は、治療支援情報として、医療機関から提供される専門的な追加情報とともに、これまでの治療の経緯に沿った、その患者自身に適合した情報を得ることができる。
【図面の簡単な説明】
【００１４】
【図１】この発明の一実施形態に係る治療支援システムの全体図である。
【図２】この発明の一実施形態に係る治療支援システムの構成を示すブロック図である。
【図３】画像読み取り装置の制御部の構成を示すブロック図である。
【図４】この発明の一実施形態に係る治療支援システムにおいて、検査結果報告書を受領した患者が、その検査結果報告書を利用して治療支援情報を得るまでの流れを示すフローチャートである。
【図５】検査結果報告書の一例を示す図である。
【図６】いくつかの検査項目上にマーカーによる指定印が記された状態を表す図である。
【図７】提供される治療情報を用紙に印刷して出力した出力物の一例を示す図である。
【図８】医療従事者が管理するコンピューターのディスプレイに患者Ｘの情報が表示された状態を示す図である。
【図９】検査項目ごとにチェックマーク記入用枠が設けられている検査結果報告書の一例を表す図である。
【発明を実施するための形態】
【００１５】
以下、この発明の実施の形態を説明する。図１は、この発明の一実施形態に係る治療支援システム１の全体図である。図２は、この発明の一実施形態に係る治療支援システム１の構成を示すブロック図である。
【００１６】
図１〜図２を参照して、この発明の一実施形態に係る治療支援システム１は、画像読み取り装置１０と、データ格納サーバー３０と、出力装置２０と、を備える。画像読み取り装置１０とデータ格納サーバー３０とは、医療機関２内のイントラネット５を介して通信可能に接続されている。またデータ格納サーバー３０と出力装置２０は、医療機関２内のイントラネット５を介して通信可能に接続されている。データ格納サーバー３０に格納されている情報には患者の個人情報が含まれるため、原則として、イントラネット５は外部ネットワークから遮断されているのが好ましい。治療支援システム１は、さらに、医療機関２に所属する医療従事者やスタッフがデータ格納サーバー３０に格納された治療支援情報を編集または閲覧するための端末（コンピューター４０）を備えていてもよい。
【００１７】
画像読み取り装置（スキャナ）１０は、制御部１２と、表示操作部１３と、画像読み取り部１４と、ハードディスク１６と、医療機関２内のイントラネット５と接続するためのネットワークインターフェース部１７とを備える。
【００１８】
制御部１２は、画像読み取り装置１０全体の制御を行う。表示操作部１３はユーザーの入力内容などを表示する表示部１８を含む。表示操作部１３は、画像読み取りの条件や電源のオンまたはオフを入力させる。画像読み取り部１４は、載置台上に載置された原稿の画像を読み取る。ハードディスク１６は、画像読み取り部１４が読み取った画像のデータや入力された画像処理条件等の格納を行う。画像読み取り部１４により読み取られた画像の電子データは、ネットワークインターフェース部１７および医療機関２内のイントラネット５を通してデータ格納サーバー３０に送信される。
【００１９】
図３は、画像読み取り装置１０の制御部１２の構成を示すブロック図である。図３を参照して、画像読み取り装置１０の制御部１２は、判断部６１と、文字認識部６２と、項目特定部６３とを備える。
【００２０】
判断部６１は、画像読み取り部１４により読み取られた画像に、検査項目を指定する指定印が存在するか否かを判断する。文字認識部６２は、判断部６１により指定印が存在すると判断されると、指定印に関連付けられた検査項目の文字を認識する。項目特定部６３は、文字認識部６２により認識された文字から、指定印に関連付けられた検査項目を特定する。
【００２１】
判断部６１は、検査結果報告書内の指定印を認識する指定印認識部６５を備える。また文字認識部６２は、検査結果報告書内の文字を認識するＯＣＲ（Ｏｐｔｉｃａｌ  Ｃａｒａｃｔｅｒ  ｒｅａｄｅｒ：光学式文字読み取り部）６６を備える
【００２２】
次に、データ格納サーバー３０は、制御部３２と、ハードディスク３６と、ネットワークインターフェース部３７とを備える。
【００２３】
制御部３２は、データ格納サーバー３０全体の制御を行う。制御部３２は、データ抽出部３３と、データ送信部３４と、グラフ作成部３５とを備える。データ抽出部３３は、項目特定部６３により特定された検査項目に関連する治療支援情報のデータを、ハードディスク３６に格納されたデータの中から抽出する。データ送信部３４は、データ抽出部３３により抽出されたデータを、ネットワークインターフェース部３７から、医療機関２内のイントラネット５を介して出力装置２０に送信する。グラフ作成部３５は、患者の検査結果の経緯のデータからグラフを作成する。グラフ作成部３５により作成されたグラフのデータは、ハードディスク３６内に治療支援情報のデータとして格納される。ハードディスク３６は、患者の治療を支援する治療支援情報のデータを格納する記憶部として機能する。
【００２４】
ハードディスク３６に格納される治療支援情報には、患者の過去の治療および診断の結果、患者の病歴、食事療法の状況、リハビリテーションの状況などの患者個人のデータ、それを編集した表やグラフ、ならびに医療機関２により提供される医学的な専門情報など、患者の治療を支援するあらゆる情報が含まれる。
【００２５】
次に、出力装置（プリンタ）２０は、制御部２２と、表示操作部２３と、出力部２４と、ハードディスク２６と、医療機関２内のイントラネット５と接続するためのネットワークインターフェース部２７とを備える。
【００２６】
制御部２２は、出力装置２０全体の制御を行う。制御部２２は、データ受信部５２と、編集部５３とを含む。データ受信部５２は、データ格納サーバー３０のデータ送信部３４から送信された治療支援情報のデータを受信する。編集部５３は、患者のニーズに応じてデータの出力形式を編集する。
【００２７】
表示操作部２３は、ユーザーの入力内容などを表示する表示部２８を含む。表示操作部２３は、印刷部数や階調性等の画像形成の条件や電源のオンまたはオフを入力させる。出力部２４は、データ受信部５２により受信されたデータを媒体に出力する。出力部２４は、画像形成部２５および電子データ送出部２９を備える。画像形成部２５は、データ受信部５２により受信された治療支援情報のデータに基づき、用紙上に画像を形成する。画像形成部２５によって画像が形成された用紙は、出力部２４により印刷物として出力される。電子データ送出部２９は、データ受信部５２により受信された治療支援情報のデータを、電子データとして、記録媒体、またはコンピューターや携帯端末などの端末内に備え付けられた、ハードディスクやメモリなどの記憶部に送出する。ハードディスク２６は、データ格納サーバー３０から医療機関２内のイントラネット５を介して送信されたデータや入力された画像処理条件等の格納を行う。ネットワークインターフェース部２７は、それを通じて医療機関２内のイントラネット５からデータを受信する。
【００２８】
なお、画像読み取り装置１０や出力装置２０は、画像データの書き出しや読み出しを行うＤＲＡＭ（Ｄｙｎａｍｉｃ  Ｒａｎｄｏｍ  Ａｃｃｅｓｓ  Ｍｅｍｏｒｙ）等を備えるがこれらについては、図示および説明を省略する。また出力装置２０は、現像剤によって形成された可視化像を転写する用紙を搬送する用紙搬送部等を備えるが、これについても、図示および説明を省略する。また、図２中の矢印は、制御信号や制御、画像に関するデータの流れを示している。
【００２９】
上述の通り治療支援システム１は、コンピューター４０を備えていてもよい。コンピューター４０は、医療機関２に所属する医療従事者（例えば医師、歯科医師、看護師、薬剤師、理学療法士、作業療法士、管理栄養士、歯科衛生士など）やその他のスタッフが、データ格納サーバー３０に格納された治療支援情報を編集または閲覧するために使用される。
【００３０】
次に、この発明の一実施形態に係る治療支援システム１により、治療を要する患者に対し、その治療を支援する治療支援情報が提供されるまでの流れについて説明する。図４は、この発明の一実施形態に係る治療支援システム１において、検査結果報告書を受領した患者Ｘが、その検査結果報告書を利用して治療支援情報を得るまでの流れを示すフローチャートである。
【００３１】
まず、患者Ｘは医療機関２において検査を受け、その医療機関２から発行された、検査結果が示された検査結果報告書を印刷物として受け取る。図５に、その検査結果報告書の一例を示す。検査結果報告書７０には、患者Ｘの氏名７１、検査項目７２と個別の検査項目７３ａ、７３ｂ、７３ｃ、および測定値７４が印字されている。
【００３２】
この検査結果報告書７０を見て、患者Ｘが「血糖値」および「γ−ＧＤＰ値」について、追加の情報を得たいときには、図６に示すように、ペンなどを用いて所定の範囲、例えば「血糖値」の文字、および「γ−ＧＤＰ値」の文字を覆うようにマーカー７８ａ，７８ｂを付すことにより、その項目を指定する。検査項目７３ａおよび７３ｂには、それぞれマーカー７８ａおよび７８ｂによる指定印が付されている。
【００３３】
このようにして特定の検査項目を指定する指定印を付した検査結果報告書７０の画像を、画像読み取り装置１０の画像読み取り部１４が読み取る（Ｓ１１）。画像読み取り部１４が画像を読み取ると、その読み取られた画像内の、特定の検査項目を指定する指定印を指定印認識部６５が読み取ることにより、判断部６１は、指定印が存在する否かを判断する（Ｓ１２）。図６に示す検査結果報告書７０には「血糖値」および「γ−ＧＤＰ値」の２つの項目７３ａ、７３ｂ上に、これらを指定する指定印（マーカー）７８ａおよび７８ｂが付されている。マーカーは、「血糖値」および「γ−ＧＤＰ値」の検査項目の文字を覆うように塗られている。指定印認識部６５はこのマーカーの存在を認識し、判断部６１は指定印が存在すると判断する。判断部６１によりマーカー７８ａおよび７８ｂが存在すると判断されると、文字認識部６２のＯＣＲ６６は、マーカー７８ａに関連付けられた検査項目７３ａの文字、「血糖値」、およびマーカー７８ｂに関連付けられた検査項目７３ｂの文字、「γ−ＧＤＰ値」、を認識する。この場合の「関連付けられた検査項目」とは、マーカー７８ａおよび７８ｂによって塗られた色の下に重なっている文字によって示される検査項目７３ａおよび７３ｂをいう。また、マーカー７８ａおよび７８ｂの色は検査結果報告書７０に記載された文字とは異なる色である限り特に限定されない。たとえば、検査結果報告書７０に記載の文字が黒の場合、黄色、橙、ピンク、緑、青など黒色以外の蛍光ペンを用いて、「血糖値」および「γ−ＧＤＰ値」の文字上に、それらの文字を覆うようにマーカーを付すことにより、これらの検査項目を指定すればよい。
【００３４】
文字認識部６２のＯＣＲ６６により認識された文字から、項目特定部６３は、指定印に関連付けられた検査項目７３ａの「血糖値」および７３ｂの「γ−ＧＤＰ値」を特定する（Ｓ１３）。
【００３５】
このようにして、指定印と関連付けられた検査項目７３ａの「血糖値」および７３ｂの「γ−ＧＤＰ値」が特定されると、その情報が医療機関２内のイントラネット５を通じて、画像読み取り装置１０からデータ格納サーバー３０に送信される。
【００３６】
データ格納サーバー３０は、ハードディスク３６内に患者Ｘの治療を支援する治療支援情報のデータを格納している。このデータは、医療機関２に所属する医療従事者やスタッフにより作成および更新が行われる、専門的で、かつ担当する患者の状況を考慮して作成されるデータである。したがって、この治療支援情報のデータはインターネットなどの外部ネットワークから得られた情報に比べて、実際の患者の状態により適合した情報である。また専門家により提供される情報に基づき作成されたデータであるから、信ぴょう性や専門性が高く、患者が安心して利用できる利点がある。
【００３７】
データ格納サーバー３０のハードディスク３６には、治療支援情報として、検査項目や病状を説明するため情報を収めた医学的な専門情報の他、患者の過去の治療および診断の結果、患者の病歴、食事療法の状況、リハビリテーションの状況などの患者個人のデータ、それを編集した表や、グラフ作成部３５により作成されたグラフ、ならびに医療機関２により提供される医学的な専門情報など、患者の治療を支援するあらゆる情報が格納されている。さらに、患者Ｘが過去に治療支援情報の提供を受けていた場合、そのときに画像読み取り装置１０が読み取った読み取り結果、および出力装置２０から出力された出力ログも治療支援情報として格納されている。データ抽出部３３は、ハードディスク３６内に格納されたこれらのデータの中から、項目特定部６３により特定された検査項目に関連する治療支援情報のデータを抽出する（Ｓ１４）。
【００３８】
データ抽出部３３により抽出されたデータは、データ格納サーバー３０のデータ送信部３４から出力装置２０に送信される（Ｓ１５）。出力装置２０のデータ受信部５２は、データ格納サーバー３０のデータ送信部３４から送信された治療支援情報のデータを受け取る。患者Ｘが治療支援情報のデータの編集を望む場合、そのデータを出力装置２０の表示操作部２３を操作することにより、あるいは別途接続された編集端末により、編集部５３に対して、データの編集要求を行う（Ｓ１６）。編集部５３は、その編集要求に応じて、データの出力形式の編集（レイアウトの変更や、電子データまたは印刷物による出力フォーマットの選択、出力ファイル（文書ファイル、表ファイル、画像ファイルなど）の変更など）を行う。
【００３９】
患者Ｘは、例えばその治療支援情報のデータを、印刷物として出力部２４の画像形成部２５から出力することができる（Ｓ１７）。図７はそのような印刷物の一例である治療支援情報提供シート１００を示す図である。治療支援情報提供シート１００には患者の氏名１０１の他、各治療支援情報１０２ａおよび１０２ｂが記されている。また紙面左下には、これまでの検査の経緯をグラフとして表した検査結果推移グラフ１０３が示されている。各治療支援情報１０２ａおよび１０２ｂ、ならびに検査結果推移グラフ１０３の紙面内のレイアウトは、上述の通り編集部５３を通じて編集することができる。
【００４０】
また、治療支援情報のデータは、用紙に印刷するのみならず、電子データとして出力装置２０から患者Ｘに提供することもできる。例えば、出力部２４の電子データ送出部２９から、記録用ディスクやＵＳＢメモリなどの記録媒体に記録させることにより、あるいはコンピューターや携帯端末などの端末に備え付けられた、ハードディスクやメモリなどの記憶部にダウンロードさせることにより、治療支援情報のデータを送出することもできる。なお電子データを送出する場合には、他者にその情報を読み取られないように、電子データ送出部２９からデータを送出する際にパスワードによる認証や個人認証を行ってもよい。
【００４１】
患者Ｘが出力部２４から治療支援情報提供シート１００を出力したり、電子データを出力したりすると、その出力ログは、患者Ｘに関する情報として、データ格納サーバー３０のハードディスク３６に記録される（Ｓ１８）。
【００４２】
医療機関２に所属する医療従事者（例えば医師、歯科医師、看護師、薬剤師、理学療法士、作業療法士、管理栄養士、歯科衛生士など）や他のスタッフは、医療機関２内のイントラネット５に接続されたコンピューター４０により、患者Ｘの情報を閲覧したり、治療支援情報の内容を更新したりすることができる。図８には医療従事者が管理するコンピューター４０に付属のディスプレイ４１に患者Ｘの情報が表示された状態を示している。表示画面４２には患者情報として、患者Ｘの氏名９１、過去の診断記録９２、および治療支援情報の出力ログ９３ａ〜９３ｃが表示されている。この出力ログ９３ａ〜９３ｃを見ることにより、医師は、患者Ｘがどのような情報を気にしているのかを知ることができる。また、この患者情報を蓄積することによって、看護師や栄養管理士、入院患者の病院食を作っている調理師にもフィードバックを行うことができ、その結果、医療機関２全体としての連携を図ることができる。
【００４３】
またデータ格納サーバー３０は、出力ログを記録しておくことにより、前回の出力時に画像読み取り装置１０が読み取った内容との差分を自動的に提供できる機能が設けられていてもよい。
【００４４】
また、あらかじめ医療従事者が検査項目の中から要注意項目を決定し、その情報をデータ格納サーバー３０のハードディスク３６に格納しておき、患者Ｘが指定印を付した検査項目の中に、その要注意項目が含まれていた場合には、医療従事者にその旨報知されるようにしてもよい。
【００４５】
以上が一連の流れである。ただし、上記実施形態は例示であって、図４に示すステップＳ１１〜Ｓ１８および図１〜３に示す構造の一部は省略または改変することもできる。たとえば、この発明において、画像読み取り装置１０と出力装置２０は、別の２つの装置であってもよく、複合機（ＭＦＰ（Ｍｕｌｔｉ  Ｆｕｎｃｔｉｏｎ  Ｐｅｒｉｐｈｅｒａｌ）などの多機能型装置の一部に画像読み取り装置１０と出力装置２０が組み込まれていてもよい。
【００４６】
またデータ格納サーバー３０に格納された治療支援情報を編集または閲覧するための端末である、コンピューター４０は省略することもできる。さらに、治療支援システム１がコンピューター４０を備えている場合、そのコンピューター４０はアクセスする者を認証する認証機能を備えているのが好ましい。
【００４７】
図６においては、指定印として、「血糖値」および「γ−ＧＤＰ値」の検査項目を覆うように、その文字上にマーカーが付されているが、指定印の様式はこの様式に限られない。例えば、指定印は、検査項目を示す文字に下線（アンダーライン）を付すように記されていてもよい。この場合の「関連付けられた検査項目」とは、マーカーによって下線が付された文字によって示される検査項目をいう。
【００４８】
また検査結果報告書７０のフォーマットは特に限定されず、図５、図６に示すものと異なっていてもよい。例えば、図９に示すように、検査結果報告書７０の検査項目ごとにチェックマーク８１を記入するための専用枠としてチェックマーク記入用枠８２が設けられていてもよい。患者Ｘが項目７３ａの「血糖値」、および項目７３ｂの「γ−ＧＤＰ値」について、追加の治療支援情報を求める場合には、「血糖値」および「γ−ＧＤＰ値」に対応するチェックマーク記入用枠８２内に、その項目を指定する指定印として、チェックマーク８１を記入するようにしてもよい。この場合の「関連付けられた検査項目」とは、専用枠であるチェックマーク記入用枠８２にそれぞれ対応する検査項目をいう。
【００４９】
このとき、画像読み取り装置１０の判断部６１に設けられた指定印認識部６５は、チェックマーク記入用枠８２内のチェックマーク８１の有無を判断する。指定印認識部６５によりチェックマーク記入用枠８２内にチェックマーク８１が記入されていると判断されると、文字認識部６２は、チェックマーク８１が記入されたチェックマーク記入用枠８２に関連付けられた検査項目「血糖値」および「γ−ＧＤＰ値」の文字を、ＯＣＲ６６により認識する。
【００５０】
またチェックマーク記入用枠８２は項目ごとに一つの形式に限られない。例えば、１つの検査項目に対し複数のチェックマーク記入用枠８２を設けていてもよい。一例としては、ある症状に対して、「重篤」、「経過観察」、および「問題ない」などの項目と、それぞれに対応する複数のチェックマーク記入用枠８２を設けていてもよい。この枠は診察時に医師によりチェックマーク８１が記入され、患者Ｘに対しその症状を説明するために利用される。このとき医師は、患者Ｘの症状が重篤な場合には、「重篤」のチェックマーク記入用枠８２にチェックマーク８１を記入する。症状の経過観察が必要な場合には、「経過観察」のチェックマーク記入用枠８２にチェックマーク８１を記入する。また患者の症状が問題ない場合には「問題ない」のチェックマーク記入用枠８２にチェックマーク８１を記入する。これにより、患者Ｘは自身の症状がどの程度重いのか医師自身の考えを知ることができる。また、患者による改ざんや誤記入を防ぐために、医師が上記「重篤」および「問題ない」という項目に対応するチェックマーク記入用枠８２に記入した後、その医師が画像読み取り装置１０によって検査結果報告書７０を読み取らせてもよい。そうすることで、その情報はデータ格納サーバー３０のハードディスク３６に格納され、医師自身がチェックマーク８１を記入した項目が保存される。その後で、患者Ｘに検査結果報告書７０を手渡すようにしてもよい。
【００５１】
また別の例としては、「興味あり」という項目とそれに対応するチェックマーク記入用枠８２を設けておいてもよい。このチェックマーク記入用枠８２は、患者が特に気になる症状がある場合に患者自身が記入するために設けた枠である。患者が特定の症状に対応する「興味あり」の項目の枠内にチェックマーク８１を記入し、画像読み取り装置１０に読み取らせると、患者Ｘにとって気がかりな症状や患者Ｘが興味のある事項を、医療従事者が把握することができる。
【００５２】
また治療支援情報のデータは、診断時の担当医師と患者Ｘの間の会話を録音した音声データであってもよい。この音声データは出力装置２０の電子データ送出部２９から音声データとして送出することが可能である。
【００５３】
図２によると、編集部５３は出力装置２０の制御部２２内に設けられているが、編集部５３はデータ格納サーバー３０の制御部３２内に設けられていてもよい。すなわち、出力装置２０およびデータ格納サーバー３０のいずれか一方は、編集部５３を備えていてもよい。また指定印はマーカー７８ａ、７８ｂやチェックマーク８１に限定されず、どのようなものであってもよい。たとえば指定印は、×印や○印などの幾何学模様のほか、数字や文字などであってもよい。またチェックマーク記入用枠８２を塗りつぶすようにしてもよい。
【００５４】
また、編集部５３、指定印認識部６５、光学式文字読み取り部６６、グラフ作成部３５、画像形成部２５、電子データ送出部２９についても、適宜省略が可能である。
【００５５】
今回開示された実施の形態および実施例はすべての点で例示であって、どのような面からも制限的なものではないと理解されるべきである。本発明の範囲は上記した説明ではなく、特許請求の範囲によって規定され、特許請求の範囲と均等の意味および範囲内でのすべての変更が含まれることが意図される。
【産業上の利用可能性】
【００５６】
この発明における治療支援システムは、医療機関、特に患者の興味や要望に沿った治療支援情報を提供したい医療機関や、患者と医療従事者との連携を高めることで治療を促進したい医療機関内において有効に活用することができる。
【符号の説明】
【００５７】
１  治療支援システム、２  医療機関、５  医療機関内のイントラネット、１０  画像読み取り装置、１２  制御部、１３  表示操作部、１４  画像読み取り部、１６  ハードディスク、１７  ネットワークインターフェース部、１８  表示部、２０  出力装置、２２  制御部、２３  表示操作部、２４  出力部、２５  画像形成部、２６  ハードディスク、２７  ネットワークインターフェース部、２８  表示部、２９  電子データ送出部、３０  データ格納サーバー、３２  制御部、３３  データ抽出部、３４  データ送信部、３５  グラフ作成部、３６  ハードディスク、３７  ネットワークインターフェース部、４０  コンピューター、４１  ディスプレイ、４２  表示画面、５２  データ受信部、５３  編集部、６１  判断部、６２  文字認識部、６３  項目特定部、６５  指定印認識部、６６  ＯＣＲ（光学式文字読み取り部）、７０  検査結果報告書、７１  患者の氏名、７２  検査項目、７３ａ、７３ｂ、７３ｃ  各検査項目、７４  測定値、７８ａ、７８ｂ  マーカー、８１  チェックマーク、８２  チェックマーク記入用枠、９１  患者の氏名、９２  診断記録、９３ａ、９３ｂ、９３ｃ  出力ログ、１００  治療支援情報提供シート、１０１  患者の氏名、１０２ａ、１０２ｂ  治療支援情報、１０３  検査結果推移グラフ。
【図１】
2017182644.tif 000003
【図２】
2017182644.tif 000004
【図３】
2017182644.tif 000005
【図４】
2017182644.tif 000006
【図５】
2017182644.tif 000007
【図６】
2017182644.tif 000008
【図７】
2017182644.tif 000009
【図８】
2017182644.tif 000010
【図９】
2017182644.tif 000011